(57)【特許請求の範囲】
【請求項１】
長方形形状の第１の枠部材と、
この第１の枠部材に隣り合うと共に、長方形形状の第２の枠部材と、
この第２の枠部材に隣り合うと共に、長方形形状の第３の枠部材と、
この第３の枠部材に隣り合うと共に、長方形形状の第４の枠部材と、
これら前記第１の枠部材、前記第２の枠部材、前記第３の枠部材及び前記第４の枠部材を連結手段により連結して構成された直方体形状の本体と、
この直方体形状の本体には、内部に連通する開口部を少なくとも有し、
前記第１の枠部材は、長手形状の第１の部材と、この第１の部材と平行の長手形状の第２の部材と、前記第１の部材の一端と前記第２の部材の一端とに接続された長手形状の第３の部材と、前記第１の部材の他端と前記第２の部材の他端とに接続された長手形状の第４の部材とを有し、前記第１の部材、前記第２の部材、前記第３の部材、前記第４の部材で囲まれた部位により開口部を形成したもの、又は、長手形状の第１の部材と、この第１の部材と平行の長手形状の第２の部材と、前記第１の部材の一端と前記第２の部材の一端とに接続された長手形状の第３の部材と、前記第１の部材の他端と前記第２の部材の他端とに接続された長手形状の第４の部材と、前記第１の部材の中途部と前記第２の部材の中途部とを接続した長手形状の第１の横断部材とを少なくとも１個を有し、前記第１の横断部材を介して開口部が隣接して形成されたものであり、
前記第２の枠部材は、長手形状の第１’の部材と、この第１’の部材と平行の長手形状の第２’の部材と、前記第１’の部材の一端と前記第２’の部材の一端とに接続された長手形状の第３’の部材と、前記第１’の部材の他端と前記第２’の部材の他端とに接続された長手形状の第４’の部材とを有し、前記第１’の部材、前記第２’の部材、前記第３’の部材、前記第４’の部材で囲まれた部位により開口部を形成したもの、又は、長手形状の第１’の部材と、この第１’の部材と平行の長手形状の第２’の部材と、前記第１’の部材の一端と前記第２’の部材の一端とに接続された長手形状の第３’の部材と、前記第１’の部材の他端と前記第２’の部材の他端とに接続された長手形状の第４’の部材と、前記第１’の部材の中途部と前記第２’の部材の中途部とを接続した長手形状の第１’の横断部材とを少なくとも１個を有し、前記第１’の横断部材を介して開口部が隣接して形成されたものであり、
前記第３の枠部材は、長手形状の第１”の部材と、この第１”の部材と平行の長手形状の第２”の部材と、前記第１”の部材の一端と前記第２”の部材の一端とに接続された長手形状の第３”の部材と、前記第１”の部材の他端と前記第２”の部材の他端とに接続された長手形状の第４”の部材とを有し、前記第１”の部材、前記第２”の部材、前記第３”の部材、前記第４”の部材で囲まれた部位により開口部を形成したもの、又は、長手形状の第１”の部材と、この第１”の部材と平行の長手形状の第２”の部材と、前記第１”の部材の一端と前記第２”の部材の一端とに接続された長手形状の第３”の部材と、前記第１”の部材の他端と前記第２”の部材の他端とに接続された長手形状の第４”の部材と、前記第１”の部材の中途部と前記第２”の部材の中途部とを接続した長手形状の第１”の横断部材とを少なくとも１個を有し、前記第１”の横断部材を介して開口部が隣接して形成されたものであり、
前記第４の枠部材は、長手形状の第１”’の部材と、この第１”’の部材と平行の長手形状の第２”’の部材と、前記第１”’の部材の一端と前記第２”’の部材の一端とに接続された長手形状の第３”’の部材と、前記第１”’の部材の他端と前記第２”’の部材の他端とに接続された長手形状の第４”’の部材とを有し、前記第１”’の部材、前記第２”’の部材、前記第３”’の部材、前記第４”’の部材で囲まれた部位により開口部を形成したもの、又は、長手形状の第１”’の部材と、この第１”’の部材と平行の長手形状の第２”’の部材と、前記第１”’の部材の一端と前記第２”’の部材の一端とに接続された長手形状の第３”’の部材と、前記第１”’の部材の他端と前記第２”’の部材の他端とに接続された長手形状の第４”’の部材と、前記第１”’の部材の中途部と前記第２”’の部材の中途部とを接続した長手形状の第１”’の横断部材とを少なくとも１個を有し、前記第１”の横断部材を介して開口部が隣接して形成されたものであり、 
前記直方体形状の本体の両端面の開口部は該開口部を横断する部材もなく、前記第１の部材、前記第１’の部材、前記第１”の部材、前記第１の部材”’で囲まれた開口部であり、
地面を掘り下げた凹所内に前記直方体形状の本体は上下およびまたは縦横に配置されると共に、前記直方体形状の本体の最上部に施された被覆手段と、
複数の前記直方体形状の本体の内部に雨水を貯留する
ことを特徴とする雨水貯留装置。 
【請求項２】
長方形形状の第１の枠部材と、
この第１の枠部材に隣り合うと共に、長方形形状の第２の枠部材と、
この第２の枠部材に隣り合うと共に、長方形形状の第３の枠部材と、
この第３の枠部材に隣り合うと共に、長方形形状の第４の枠部材と、
これら前記第１の枠部材、前記第２の枠部材、前記第３の枠部材及び前記第４の枠部材は、設置現場で連結手段により連結して直方体形状の本体を構成し、
この直方体形状の本体には、内部に連通する開口部を少なくとも有し、
前記第１の枠部材は、長手形状の第１の部材と、この第１の部材と平行の長手形状の第２の部材と、前記第１の部材の一端と前記第２の部材の一端とに接続された長手形状の第３の部材と、前記第１の部材の他端と前記第２の部材の他端とに接続された長手形状の第４の部材とを有し、前記第１の部材、前記第２の部材、前記第３の部材、前記第４の部材で囲まれた部位により開口部を形成したもの、又は、長手形状の第１の部材と、この第１の部材と平行の長手形状の第２の部材と、前記第１の部材の一端と前記第２の部材の一端とに接続された長手形状の第３の部材と、前記第１の部材の他端と前記第２の部材の他端とに接続された長手形状の第４の部材と、前記第１の部材の中途部と前記第２の部材の中途部とを接続した長手形状の第１の横断部材とを少なくとも１個を有し、前記第１の横断部材を介して開口部が隣接して形成されたものであり、
前記第２の枠部材は、長手形状の第１’の部材と、この第１’の部材と平行の長手形状の第２’の部材と、前記第１’の部材の一端と前記第２’の部材の一端とに接続された長手形状の第３’の部材と、前記第１’の部材の他端と前記第２’の部材の他端とに接続された長手形状の第４’の部材とを有し、前記第１’の部材、前記第２’の部材、前記第３’の部材、前記第４’の部材で囲まれた部位により開口部を形成したもの、又は、長手形状の第１’の部材と、この第１’の部材と平行の長手形状の第２’の部材と、前記第１’の部材の一端と前記第２’の部材の一端とに接続された長手形状の第３’の部材と、前記第１’の部材の他端と前記第２’の部材の他端とに接続された長手形状の第４’の部材と、前記第１’の部材の中途部と前記第２’の部材の中途部とを接続した長手形状の第１’の横断部材とを少なくとも１個を有し、前記第１’の横断部材を介して開口部が隣接して形成されたものであり、
前記第３の枠部材は、長手形状の第１”の部材と、この第１”の部材と平行の長手形状の第２”の部材と、前記第１”の部材の一端と前記第２”の部材の一端とに接続された長手形状の第３”の部材と、前記第１”の部材の他端と前記第２”の部材の他端とに接続された長手形状の第４”の部材とを有し、前記第１”の部材、前記第２”の部材、前記第３”の部材、前記第４”の部材で囲まれた部位により開口部を形成したもの、又は、長手形状の第１”の部材と、この第１”の部材と平行の長手形状の第２”の部材と、前記第１”の部材の一端と前記第２”の部材の一端とに接続された長手形状の第３”の部材と、前記第１”の部材の他端と前記第２”の部材の他端とに接続された長手形状の第４”の部材と、前記第１”の部材の中途部と前記第２”の部材の中途部とを接続した長手形状の第１”の横断部材とを少なくとも１個を有し、前記第１”の横断部材を介して開口部が隣接して形成されたものであり、
前記第４の枠部材は、長手形状の第１”’の部材と、この第１”’の部材と平行の長手形状の第２”’の部材と、前記第１”’の部材の一端と前記第２”’の部材の一端とに接続された長手形状の第３”’の部材と、前記第１”’の部材の他端と前記第２”’の部材の他端とに接続された長手形状の第４”’の部材とを有し、前記第１”’の部材、前記第２”’の部材、前記第３”’の部材、前記第４”’の部材で囲まれた部位により開口部を形成したもの、又は、長手形状の第１”’の部材と、この第１”’の部材と平行の長手形状の第２”’の部材と、前記第１”’の部材の一端と前記第２”’の部材の一端とに接続された長手形状の第３”’の部材と、前記第１”’の部材の他端と前記第２”’の部材の他端とに接続された長手形状の第４”’の部材と、前記第１”’の部材の中途部と前記第２”’の部材の中途部とを接続した長手形状の第１”’の横断部材とを少なくとも１個を有し、前記第１”の横断部材を介して開口部が隣接して形成されたものであり、 
前記直方体形状の本体の両端面の開口部は該開口部を横断する部材もなく、前記第１の部材、前記第１’の部材、前記第１”の部材、前記第１の部材”’で囲まれた開口部であり、
地面を掘り下げた凹所内に前記直方体形状の本体は上下およびまたは縦横に配置し、その後、前記直方体形状の本体の最上部に被覆手段を施し、
複数の前記直方体形状の本体の内部に雨水を貯留する
ことを特徴とする雨水貯留装置の形成方法。
【請求項３】
長方形形状の第１の枠部材に対して直交して接合された長方形形状の第２の枠部材とを有した第１のＬ字状部材と、
長方形形状の第３の枠部材に対して直交して接合された長方形形状の第４の枠部材とを有した第２のＬ字状部材と、
これら前記第１のＬ字状部材、前記第２のＬ字状部材を設置現場で連結手段により連結して直方体形状の本体を構成し、
この直方体形状の本体には、内部に連通する開口部を少なくとも有し、
前記第１の枠部材は、長手形状の第１の部材と、この第１の部材と平行の長手形状の第２の部材と、前記第１の部材の一端と前記第２の部材の一端とに接続された長手形状の第３の部材と、前記第１の部材の他端と前記第２の部材の他端とに接続された長手形状の第４の部材とを有し、前記第１の部材、前記第２の部材、前記第３の部材、前記第４の部材で囲まれた部位により開口部を形成したもの、又は、長手形状の第１の部材と、この第１の部材と平行の長手形状の第２の部材と、前記第１の部材の一端と前記第２の部材の一端とに接続された長手形状の第３の部材と、前記第１の部材の他端と前記第２の部材の他端とに接続された長手形状の第４の部材と、前記第１の部材の中途部と前記第２の部材の中途部とを接続した長手形状の第１の横断部材とを少なくとも１個を有し、前記第１の横断部材を介して開口部が隣接して形成されたものであり、
前記第２の枠部材は、長手形状の第１’の部材と、この第１’の部材と平行の長手形状の第２’の部材と、前記第１’の部材の一端と前記第２’の部材の一端とに接続された長手形状の第３’の部材と、前記第１’の部材の他端と前記第２’の部材の他端とに接続された長手形状の第４’の部材とを有し、前記第１’の部材、前記第２’の部材、前記第３’の部材、前記第４’の部材で囲まれた部位により開口部を形成したもの、又は、長手形状の第１’の部材と、この第１’の部材と平行の長手形状の第２’の部材と、前記第１’の部材の一端と前記第２’の部材の一端とに接続された長手形状の第３’の部材と、前記第１’の部材の他端と前記第２’の部材の他端とに接続された長手形状の第４’の部材と、前記第１’の部材の中途部と前記第２’の部材の中途部とを接続した長手形状の第１’の横断部材とを少なくとも１個を有し、前記第１’の横断部材を介して開口部が隣接して形成されたものであり、
前記第３の枠部材は、長手形状の第１”の部材と、この第１”の部材と平行の長手形状の第２”の部材と、前記第１”の部材の一端と前記第２”の部材の一端とに接続された長手形状の第３”の部材と、前記第１”の部材の他端と前記第２”の部材の他端とに接続された長手形状の第４”の部材とを有し、前記第１”の部材、前記第２”の部材、前記第３”の部材、前記第４”の部材で囲まれた部位により開口部を形成したもの、又は、長手形状の第１”の部材と、この第１”の部材と平行の長手形状の第２”の部材と、前記第１”の部材の一端と前記第２”の部材の一端とに接続された長手形状の第３”の部材と、前記第１”の部材の他端と前記第２”の部材の他端とに接続された長手形状の第４”の部材と、前記第１”の部材の中途部と前記第２”の部材の中途部とを接続した長手形状の第１”の横断部材とを少なくとも１個を有し、前記第１”の横断部材を介して開口部が隣接して形成されたものであり、
前記第４の枠部材は、長手形状の第１”’の部材と、この第１”’の部材と平行の長手形状の第２”’の部材と、前記第１”’の部材の一端と前記第２”’の部材の一端とに接続された長手形状の第３”’の部材と、前記第１”’の部材の他端と前記第２”’の部材の他端とに接続された長手形状の第４”’の部材とを有し、前記第１”’の部材、前記第２”’の部材、前記第３”’の部材、前記第４”’の部材で囲まれた部位により開口部を形成したもの、又は、長手形状の第１”’の部材と、この第１”’の部材と平行の長手形状の第２”’の部材と、前記第１”’の部材の一端と前記第２”’の部材の一端とに接続された長手形状の第３”’の部材と、前記第１”’の部材の他端と前記第２”’の部材の他端とに接続された長手形状の第４”’の部材と、前記第１”’の部材の中途部と前記第２”’の部材の中途部とを接続した長手形状の第１”’の横断部材とを少なくとも１個を有し、前記第１”の横断部材を介して開口部が隣接して形成されたものであり、 
前記直方体形状の本体の両端面の開口部は該開口部を横断する部材もなく、前記第１の部材、前記第１’の部材、前記第１”の部材、前記第１の部材”’で囲まれた開口部であり、
地面を掘り下げた凹所内に前記直方体形状の本体は上下およびまたは縦横に配置し、
該配置は、前記直方体形状の本体の長手方向が水平方向で、前記直方体形状の本体が並設されたものであり、その後、前記直方体形状の本体の最上部に被覆手段を施し、
複数の前記直方体形状の本体の内部に雨水を貯留する
ことを特徴とする雨水貯留装置の形成方法。
【請求項４】
第１の枠部材の前記第１の枠部材と第４の枠部材との当接面に設けられた第１の凹部と、前記第１の枠部材の前記第１の枠部材と第２の枠部材との当接面に設けられた第１の凸部と、
第２の枠部材の前記第１の枠部材と前記第２の枠部材との当接面に設けられ、前記第１の凸部に係合する第２の凹部と、前記第２の枠部材の前記第２の枠部材と第３の枠部材との当接面に設けられた第２の凸部と、
第３の枠部材の前記第２の枠部材と前記第３の枠部材との当接面に設けられ、前記第２の凸部に係合する第３の凹部と、前記第３の枠部材の前記第３の枠部材と第４の枠部材との当接面に設けられた第３の凸部と、
第４の枠部材の前記第３の枠部材と前記第４の枠部材との当接面に設けられ、前記第３の凸部に係合する第４の凹部と、前記第４の枠部材の前記第４の枠部材と前記第１の枠部材との当接面に設けら、前記第１の凹部に係合する第４の凸部と、
を備えていることを特徴とする請求項１記載の雨水貯留装置。
【請求項５】
第１の枠部材の前記第１の枠部材と第２の枠部材との当接面に設けられた第１の凸部と、
前記第２の枠部材の前記第１の枠部材と前記第２の枠部材との当接面に設けられ、前記第１の凸部に係合する第２の凹部と、前記第２の枠部材の前記第２の枠部材と第３の枠部材との当接面に設けられた第２の凸部と、
第３の枠部材の前記第２の枠部材と前記第３の枠部材との当接面に設けられ、前記第２の凸部に係合する第３の凹部と、前記第３の枠部材の前記第３の枠部材と第４の枠部材との当接面に設けられた第３の凸部とを少なくとも有し、
前記第４の枠部材と前記第１の枠部材とが当接している
ことを特徴とする請求項１記載の雨水貯留装置。
【請求項６】
連結手段は、第１の接続部、第２の接続部、第３の接続部、第４の接続部を有し、
前記第１の接続部は、第１の枠部材と第２の枠部材とを折曲自在に接続するものであり、
前記第２の接続部は、前記第２の枠部材と第３の枠部材とを折曲自在に接続するものであり、
前記第３の接続部は、前記第３の枠部材と第４の枠部材とを折曲自在に接続するものであり、
施工現場に運搬される際、前記第１の枠部材、前記第２の枠部材、前記第３の枠部材及び前記第４の枠部材は展開された状態であり、
施工現場において、前記第４の枠部材と前記第１の枠部材とが当接して、直方体形状の本体が形成される
ことを特徴とする請求項１記載の雨水貯留装置。
【請求項７】
第１の枠部材に突設するように設けられたV字形状の第１の突起と、
第２の枠部材に突設するように設けられたV字形状の第２の突起と、
第３の枠部材に突設するように設けられたV字形状の第３の突起と、
第４の枠部材に突設するように設けられたV字形状の第４の突起と、
直方体形状の本体内に、前記V字形状の第１の突起と、前記V字形状の第２の突起と、前記V字形状の第３の突起と、前記V字形状の第４の突起とが当接して、X状部材が形成される
ことを特徴とする請求項１記載の雨水貯留装置。
【請求項８】
直方体形状の本体は上下およびまたは縦横に配置されて、全体として貯留部が構成され、
この貯留部の周囲は覆い部材で覆われ、
前記覆い部材が対向する前記貯留部の部位が塞がれている
ことを特徴とする請求項１、４、５、６、７のいずれかの記載の雨水貯留装置。
【発明の詳細な説明】
【技術分野】
【０００１】
本発明は、雨水貯留装置及び雨水貯留装置の形成方法に係り、特に、運搬にスペースを取らず、設置後、雨水を貯留するスペースを多くとることができる雨水貯留装置及び雨水貯留装置の形成方法に関する。
【０００２】
従来、例えば、雨水を貯蔵する地下貯水槽がある（例えば、特許文献１参照）。
この地下貯水槽にあっては、断面の形状が連続する略山形の山形部を有し、前記断面と直交する方向に略同一断面で延びる形状を有する骨格部材と、この骨格部材を積層して形成される積層構造物を利用している（特許文献１参照）。
【特許文献１】特許第２９０１９５９号公報
【発明の開示】
【発明が解決しようとする課題】
【０００３】
しかしながら、上記の骨格部材にあっては、運搬にスペースを取らない利点を有するが、雨水を貯留するスペースの点で改善の余地があるという問題点があった。
【０００４】
本発明は、上記の問題点を除去するようにした雨水貯留装置及び雨水貯留装置の形成方法を提供することを目的とする。
【課題を解決するための手段】
【０００５】
本発明の雨水貯留装置は、長方形形状の第１の枠部材と、この第１の枠部材に隣り合うと共に、長方形形状の第２の枠部材と、この第２の枠部材に隣り合うと共に、長方形形状の第３の枠部材と、この第３の枠部材に隣り合うと共に、長方形形状の第４の枠部材と、これら前記第１の枠部材、前記第２の枠部材、前記第３の枠部材及び前記第４の枠部材を連結手段により連結して構成された直方体形状の本体と、この直方体形状の本体には、内部に連通する開口部を少なくとも有し、前記第１の枠部材は、長手形状の第１の部材と、この第１の部材と平行の長手形状の第２の部材と、前記第１の部材の一端と前記第２の部材の一端とに接続された長手形状の第３の部材と、前記第１の部材の他端と前記第２の部材の他端とに接続された長手形状の第４の部材とを有し、前記第１の部材、前記第２の部材、前記第３の部材、前記第４の部材で囲まれた部位により開口部を形成したもの、又は、長手形状の第１の部材と、この第１の部材と平行の長手形状の第２の部材と、前記第１の部材の一端と前記第２の部材の一端とに接続された長手形状の第３の部材と、前記第１の部材の他端と前記第２の部材の他端とに接続された長手形状の第４の部材と、前記第１の部材の中途部と前記第２の部材の中途部とを接続した長手形状の第１の横断部材とを少なくとも１個を有し、前記第１の横断部材を介して開口部が隣接して形成されたものであり、前記第２の枠部材は、長手形状の第１’の部材と、この第１’の部材と平行の長手形状の第２’の部材と、前記第１’の部材の一端と前記第２’の部材の一端とに接続された長手形状の第３’の部材と、前記第１’の部材の他端と前記第２’の部材の他端とに接続された長手形状の第４’の部材とを有し、前記第１’の部材、前記第２’の部材、前記第３’の部材、前記第４’の部材で囲まれた部位により開口部を形成したもの、又は、長手形状の第１’の部材と、この第１’の部材と平行の長手形状の第２’の部材と、前記第１’の部材の一端と前記第２’の部材の一端とに接続された長手形状の第３’の部材と、前記第１’の部材の他端と前記第２’の部材の他端とに接続された長手形状の第４’の部材と、前記第１’の部材の中途部と前記第２’の部材の中途部とを接続した長手形状の第１’の横断部材とを少なくとも１個を有し、前記第１’の横断部材を介して開口部が隣接して形成されたものであり、前記第３の枠部材は、長手形状の第１”の部材と、この第１”の部材と平行の長手形状の第２”の部材と、前記第１”の部材の一端と前記第２”の部材の一端とに接続された長手形状の第３”の部材と、前記第１”の部材の他端と前記第２”の部材の他端とに接続された長手形状の第４”の部材とを有し、前記第１”の部材、前記第２”の部材、前記第３”の部材、前記第４”の部材で囲まれた部位により開口部を形成したもの、又は、長手形状の第１”の部材と、この第１”の部材と平行の長手形状の第２”の部材と、前記第１”の部材の一端と前記第２”の部材の一端とに接続された長手形状の第３”の部材と、前記第１”の部材の他端と前記第２”の部材の他端とに接続された長手形状の第４”の部材と、前記第１”の部材の中途部と前記第２”の部材の中途部とを接続した長手形状の第１”の横断部材とを少なくとも１個を有し、前記第１”の横断部材を介して開口部が隣接して形成されたものであり、 前記第４の枠部材は、長手形状の第１”’の部材と、この第１”’の部材と平行の長手形状の第２”’の部材と、前記第１”’の部材の一端と前記第２”’の部材の一端とに接続された長手形状の第３”’の部材と、前記第１”’の部材の他端と前記第２”’の部材の他端とに接続された長手形状の第４”’の部材とを有し、前記第１”’の部材、前記第２”’の部材、前記第３”’の部材、前記第４”’の部材で囲まれた部位により開口部を形成したもの、又は、長手形状の第１”’の部材と、この第１”’の部材と平行の長手形状の第２”’の部材と、前記第１”’の部材の一端と前記第２”’の部材の一端とに接続された長手形状の第３”’の部材と、前記第１”’の部材の他端と前記第２”’の部材の他端とに接続された長手形状の第４”’の部材と、前記第１”’の部材の中途部と前記第２”’の部材の中途部とを接続した長手形状の第１”’の横断部材とを少なくとも１個を有し、前記第１”の横断部材を介して開口部が隣接して形成されたものであり、前記直方体形状の本体の両端面の開口部は該開口部を横断する部材もなく、前記第１の部材、前記第１’の部材、前記第１”の部材、前記第１の部材”’で囲まれた開口部であり、地面を掘り下げた凹所内に前記直方体形状の本体は上下およびまたは縦横に配置されると共に、前記直方体形状の本体の最上部に施された被覆手段と、複数の前記直方体形状の本体の内部に雨水を貯留するものである。
【０００６】
また、請求項２記載の雨水貯留装置の形成方法は、長方形形状の第１の枠部材と、この第１の枠部材に隣り合うと共に、長方形形状の第２の枠部材と、この第２の枠部材に隣り合うと共に、長方形形状の第３の枠部材と、この第３の枠部材に隣り合うと共に、長方形形状の第４の枠部材と、これら前記第１の枠部材、前記第２の枠部材、前記第３の枠部材及び前記第４の枠部材は、設置現場で連結手段により連結して直方体形状の本体を構成し、この直方体形状の本体には、内部に連通する開口部を少なくとも有し、前記第１の枠部材は、長手形状の第１の部材と、この第１の部材と平行の長手形状の第２の部材と、前記第１の部材の一端と前記第２の部材の一端とに接続された長手形状の第３の部材と、前記第１の部材の他端と前記第２の部材の他端とに接続された長手形状の第４の部材とを有し、前記第１の部材、前記第２の部材、前記第３の部材、前記第４の部材で囲まれた部位により開口部を形成したもの、又は、長手形状の第１の部材と、この第１の部材と平行の長手形状の第２の部材と、前記第１の部材の一端と前記第２の部材の一端とに接続された長手形状の第３の部材と、前記第１の部材の他端と前記第２の部材の他端とに接続された長手形状の第４の部材と、前記第１の部材の中途部と前記第２の部材の中途部とを接続した長手形状の第１の横断部材とを少なくとも１個を有し、前記第１の横断部材を介して開口部が隣接して形成されたものであり、前記第２の枠部材は、長手形状の第１’の部材と、この第１’の部材と平行の長手形状の第２’の部材と、前記第１’の部材の一端と前記第２’の部材の一端とに接続された長手形状の第３’の部材と、前記第１’の部材の他端と前記第２’の部材の他端とに接続された長手形状の第４’の部材とを有し、前記第１’の部材、前記第２’の部材、前記第３’の部材、前記第４’の部材で囲まれた部位により開口部を形成したもの、又は、長手形状の第１’の部材と、この第１’の部材と平行の長手形状の第２’の部材と、前記第１’の部材の一端と前記第２’の部材の一端とに接続された長手形状の第３’の部材と、前記第１’の部材の他端と前記第２’の部材の他端とに接続された長手形状の第４’の部材と、前記第１’の部材の中途部と前記第２’の部材の中途部とを接続した長手形状の第１’の横断部材とを少なくとも１個を有し、前記第１’の横断部材を介して開口部が隣接して形成されたものであり、前記第３の枠部材は、長手形状の第１”の部材と、この第１”の部材と平行の長手形状の第２”の部材と、前記第１”の部材の一端と前記第２”の部材の一端とに接続された長手形状の第３”の部材と、前記第１”の部材の他端と前記第２”の部材の他端とに接続された長手形状の第４”の部材とを有し、前記第１”の部材、前記第２”の部材、前記第３”の部材、前記第４”の部材で囲まれた部位により開口部を形成したもの、又は、長手形状の第１”の部材と、この第１”の部材と平行の長手形状の第２”の部材と、前記第１”の部材の一端と前記第２”の部材の一端とに接続された長手形状の第３”の部材と、前記第１”の部材の他端と前記第２”の部材の他端とに接続された長手形状の第４”の部材と、前記第１”の部材の中途部と前記第２”の部材の中途部とを接続した長手形状の第１”の横断部材とを少なくとも１個を有し、前記第１”の横断部材を介して開口部が隣接して形成されたものであり、前記第４の枠部材は、長手形状の第１”’の部材と、この第１”’の部材と平行の長手形状の第２”’の部材と、前記第１”’の部材の一端と前記第２”’の部材の一端とに接続された長手形状の第３”’の部材と、前記第１”’の部材の他端と前記第２”’の部材の他端とに接続された長手形状の第４”’の部材とを有し、前記第１”’の部材、前記第２”’の部材、前記第３”’の部材、前記第４”’の部材で囲まれた部位により開口部を形成したもの、又は、長手形状の第１”’の部材と、この第１”’の部材と平行の長手形状の第２”’の部材と、前記第１”’の部材の一端と前記第２”’の部材の一端とに接続された長手形状の第３”’の部材と、前記第１”’の部材の他端と前記第２”’の部材の他端とに接続された長手形状の第４”’の部材と、前記第１”’の部材の中途部と前記第２”’の部材の中途部とを接続した長手形状の第１”’の横断部材とを少なくとも１個を有し、前記第１”の横断部材を介して開口部が隣接して形成されたものであり、前記直方体形状の本体の両端面の開口部は該開口部を横断する部材もなく、前記第１の部材、前記第１’の部材、前記第１”の部材、前記第１の部材”’で囲まれた開口部であり、地面を掘り下げた凹所内に前記直方体形状の本体は上下およびまたは縦横に配置し、その後、前記直方体形状の本体の最上部に被覆手段を施し、複数の前記直方体形状の本体の内部に雨水を貯留するものである。
【０００７】
また、請求項３記載の雨水貯留装置の形成方法は、長方形形状の第１の枠部材に対して直交して接合された長方形形状の第２の枠部材とを有した第１のＬ字状部材と、長方形形状の第３の枠部材に対して直交して接合された長方形形状の第４の枠部材とを有した第２のＬ字状部材と、これら前記第１のＬ字状部材、前記第２のＬ字状部材を設置現場で連結手段により連結して直方体形状の本体を構成し、この直方体形状の本体には、内部に連通する開口部を少なくとも有し、前記第１の枠部材は、長手形状の第１の部材と、この第１の部材と平行の長手形状の第２の部材と、前記第１の部材の一端と前記第２の部材の一端とに接続された長手形状の第３の部材と、前記第１の部材の他端と前記第２の部材の他端とに接続された長手形状の第４の部材とを有し、前記第１の部材、前記第２の部材、前記第３の部材、前記第４の部材で囲まれた部位により開口部を形成したもの、又は、長手形状の第１の部材と、この第１の部材と平行の長手形状の第２の部材と、前記第１の部材の一端と前記第２の部材の一端とに接続された長手形状の第３の部材と、前記第１の部材の他端と前記第２の部材の他端とに接続された長手形状の第４の部材と、前記第１の部材の中途部と前記第２の部材の中途部とを接続した長手形状の第１の横断部材とを少なくとも１個を有し、前記第１の横断部材を介して開口部が隣接して形成されたものであり、前記第２の枠部材は、長手形状の第１’の部材と、この第１’の部材と平行の長手形状の第２’の部材と、前記第１’の部材の一端と前記第２’の部材の一端とに接続された長手形状の第３’の部材と、前記第１’の部材の他端と前記第２’の部材の他端とに接続された長手形状の第４’の部材とを有し、前記第１’の部材、前記第２’の部材、前記第３’の部材、前記第４’の部材で囲まれた部位により開口部を形成したもの、又は、長手形状の第１’の部材と、この第１’の部材と平行の長手形状の第２’の部材と、前記第１’の部材の一端と前記第２’の部材の一端とに接続された長手形状の第３’の部材と、前記第１’の部材の他端と前記第２’の部材の他端とに接続された長手形状の第４’の部材と、前記第１’の部材の中途部と前記第２’の部材の中途部とを接続した長手形状の第１’の横断部材とを少なくとも１個を有し、前記第１’の横断部材を介して開口部が隣接して形成されたものであり、前記第３の枠部材は、長手形状の第１”の部材と、この第１”の部材と平行の長手形状の第２”の部材と、前記第１”の部材の一端と前記第２”の部材の一端とに接続された長手形状の第３”の部材と、前記第１”の部材の他端と前記第２”の部材の他端とに接続された長手形状の第４”の部材とを有し、前記第１”の部材、前記第２”の部材、前記第３”の部材、前記第４”の部材で囲まれた部位により開口部を形成したもの、又は、長手形状の第１”の部材と、この第１”の部材と平行の長手形状の第２”の部材と、前記第１”の部材の一端と前記第２”の部材の一端とに接続された長手形状の第３”の部材と、前記第１”の部材の他端と前記第２”の部材の他端とに接続された長手形状の第４”の部材と、前記第１”の部材の中途部と前記第２”の部材の中途部とを接続した長手形状の第１”の横断部材とを少なくとも１個を有し、前記第１”の横断部材を介して開口部が隣接して形成されたものであり、前記第４の枠部材は、長手形状の第１”’の部材と、この第１”’の部材と平行の長手形状の第２”’の部材と、前記第１”’の部材の一端と前記第２”’の部材の一端とに接続された長手形状の第３”’の部材と、前記第１”’の部材の他端と前記第２”’の部材の他端とに接続された長手形状の第４”’の部材とを有し、前記第１”’の部材、前記第２”’の部材、前記第３”’の部材、前記第４”’の部材で囲まれた部位により開口部を形成したもの、又は、長手形状の第１”’の部材と、この第１”’の部材と平行の長手形状の第２”’の部材と、前記第１”’の部材の一端と前記第２”’の部材の一端とに接続された長手形状の第３”’の部材と、前記第１”’の部材の他端と前記第２”’の部材の他端とに接続された長手形状の第４”’の部材と、前記第１”’の部材の中途部と前記第２”’の部材の中途部とを接続した長手形状の第１”’の横断部材とを少なくとも１個を有し、前記第１”の横断部材を介して開口部が隣接して形成されたものであり、 前記直方体形状の本体の両端面の開口部は該開口部を横断する部材もなく、前記第１の部材、前記第１’の部材、前記第１”の部材、前記第１の部材”’で囲まれた開口部であり、地面を掘り下げた凹所内に前記直方体形状の本体は上下およびまたは縦横に配置し、該配置は、前記直方体形状の本体の長手方向が水平方向で、前記直方体形状の本体が並設されたものであり、その後、前記直方体形状の本体の最上部に被覆手段を施し、複数の前記直方体形状の本体の内部に雨水を貯留するものである。
【０００８】
また、請求項４記載の雨水貯留装置は、請求項１記載の雨水貯留装置において、第１の枠部材の前記第１の枠部材と第４の枠部材との当接面に設けられた第１の凹部と、前記第１の枠部材の前記第１の枠部材と第２の枠部材との当接面に設けられた第１の凸部と、第２の枠部材の前記第１の枠部材と前記第２の枠部材との当接面に設けられ、前記第１の凸部に係合する第２の凹部と、前記第２の枠部材の前記第２の枠部材と第３の枠部材との当接面に設けられた第２の凸部と、第３の枠部材の前記第２の枠部材と前記第３の枠部材との当接面に設けられ、前記第２の凸部に係合する第３の凹部と、前記第３の枠部材の前記第３の枠部材と第４の枠部材との当接面に設けられた第３の凸部と、第４の枠部材の前記第３の枠部材と前記第４の枠部材との当接面に設けられ、前記第３の凸部に係合する第４の凹部と、前記第４の枠部材の前記第４の枠部材と前記第１の枠部材との当接面に設けら、前記第１の凹部に係合する第４の凸部とを備えているものである。
【０００９】
また、請求項５記載の雨水貯留装置は、請求項１記載の雨水貯留装置において、第１の枠部材の前記第１の枠部材と第２の枠部材との当接面に設けられた第１の凸部と、前記第２の枠部材の前記第１の枠部材と前記第２の枠部材との当接面に設けられ、前記第１の凸部に係合する第２の凹部と、前記第２の枠部材の前記第２の枠部材と第３の枠部材との当接面に設けられた第２の凸部と、第３の枠部材の前記第２の枠部材と前記第３の枠部材との当接面に設けられ、前記第２の凸部に係合する第３の凹部と、前記第３の枠部材の前記第３の枠部材と第４の枠部材との当接面に設けられた第３の凸部とを少なくとも有し、前記第４の枠部材と前記第１の枠部材とが当接しているものである。
【００１０】
また、請求項６記載の雨水貯留装置は、請求項１記載の雨水貯留装置において、連結手段は、第１の接続部、第２の接続部、第３の接続部、第４の接続部を有し、前記第１の接続部は、第１の枠部材と第２の枠部材とを折曲自在に接続するものであり、前記第２の接続部は、前記第２の枠部材と第３の枠部材とを折曲自在に接続するものであり、前記第３の接続部は、前記第３の枠部材と第４の枠部材とを折曲自在に接続するものであり、   施工現場に運搬される際、前記第１の枠部材、前記第２の枠部材、前記第３の枠部材及び前記第４の枠部材は展開された状態であり、施工現場において、前記第４の枠部材と前記第１の枠部材とが当接して、直方体形状の本体が形成されるものである。
【００１１】
また、請求項７記載の雨水貯留装置は、請求項１記載の雨水貯留装置において、第１
の枠部材に突設するように設けられたV字形状の第１の突起と、第２の枠部材に突設す
るように設けられたV字形状の第２の突起と、第３の枠部材に突設するように設けられ
たV字形状の第３の突起と、第４の枠部材に突設するように設けられたV字形状の第４
の突起と、直方体形状の本体内に、前記V字形状の第１の突起と、前記V字形状の第２
の突起と、前記V字形状の第３の突起と、前記V字形状の第４の突起とが当接して、X
状部材が形成されるものである。
【００１２】
また、請求項８記載の雨水貯留装置は、請求項１、４、５、６、７のいずれかの記載の雨水貯留装置において、直方体形状の本体は上下およびまたは縦横に配置されて、全体として貯留部が構成され、この貯留部の周囲は覆い部材で覆われ、前記覆い部材が対向する前記貯留部の部位が塞がれているものである。
【発明の効果】
【００１３】
請求項１記載の雨水貯留装置によれば、直方体形状の本体は、第１の枠部材、第２の
枠部材、第３の枠部材及び第４の枠部材を連結手段により連結して構成されているため、
設置前にあっては、第１の枠部材、第２の枠部材、第３の枠部材、第４の枠部材と平面的
で嵩張らず、運搬等において場所を取らず、多くの第１の枠部材、第２の枠部材、第３の
枠部材、第４の枠部材を運搬でき、しかも、設置にあっては、第１の枠部材、第２の枠部
材、第３の枠部材及び第４の枠部材を連結手段により連結して直方体形状の本体を構成し
、構造的にも強いと共に、直方体形状の本体の内部に雨水を貯留するスペースである内部
空間を多くとることができ、地面を掘り下げた凹所内に前記直方体形状の本体は上下およ
びまたは縦横に配置されるため、構造的にも安定したものとなる。
【００１４】
また、請求項２記載の雨水貯留装置の形成方法によれば、直方体形状の本体は、第１の枠部材、第２の枠部材、第３の枠部材及び第４の枠部材を連結手段により連結して構成されているため、設置前にあっては、第１の枠部材、第２の枠部材、第３の枠部材、第４の枠部材と平面的で嵩張らず、運搬等において場所を取らず、多くの第１の枠部材、第２の枠部材、第３の枠部材、第４の枠部材を運搬でき、しかも、設置にあっては、第１の枠部材、第２の枠部材、第３の枠部材及び第４の枠部材を連結手段により連結して直方体形状の本体を構成し、構造的にも強いと共に、直方体形状の本体の内部に雨水を貯留するスペースである内部空間を多くとることができ、地面を掘り下げた凹所内に前記直方体形状の本体は上下およびまたは縦横に配置されるため、構造的にも安定したものとなる。
【００１５】
また、請求項３記載の雨水貯留装置の形成方法によれば、直方体形状の本体は、長方形形状の第１の枠部材に対して直交して接合された長方形形状の第２の枠部材とを有した第１のL字状部材と、長方形形状の第３の枠部材に対して直交して接合された長方形形状の第４の枠部材とを有した第２のL字状部材とを連結手段により連結して構成されているため、設置前にあっては、第１、第２のL字状部材と嵩張らず、運搬等において場所を取らず、多くの第１、第２のL字状部材を運搬でき、しかも、設置にあっては、第１、第２のL字状部材を連結手段により連結して直方体形状の本体を構成し、構造的にも強いと共に、直方体形状の本体の内部に雨水を貯留するスペースである内部空間を多くとることができ、地面を掘り下げた凹所内に前記直方体形状の本体は上下およびまたは縦横に配置されるため、構造的にも安定したものとなる。
【００１６】
また、請求項７記載の雨水貯留装置によれば、上述した請求項１記載の発明の効果に加え、直方体形状の本体内に、V字形状の第１の突起と、V字形状の第２の突起と、V字形状の第３の突起と、V字形状の第４の突起とが当接して、X状部材が形成されるため、直方体形状の本体の強度を強くすることができる。
【００１７】
また、請求項８記載の雨水貯留装置によれば、上述した請求項１又は７記載の発明の
効果に加え、直方体形状の本体は上下およびまたは縦横に配置されて、全体として貯留部
が構成され、この貯留部の周囲は覆い部材で覆われ、前記覆い部材が対向する前記貯留部
の部位が塞がれているため、地面を掘り下げた凹所内の、例えば、土砂等が覆い部材を介
して貯留部内に入り込むのを防ぐため、前記覆い部材の破損を防止することができる。
【発明を実施するための最良の形態】
【００１８】
本発明の雨水貯留装置及び雨水貯留装置の形成方法の一実施例を図面を参照して説明する。
図１及び図２に示すＧは地下に埋設されて雨水を貯留する雨水貯留装置で、雨水貯留装置Ｇは、直方体形状の本体１０を上下およびまたは縦横に配置し（図１６参照）、複数の直方体形状の本体１０の内部に雨水を貯留するものである。
図１に示す１は、直方体形状の本体１０の最上部に施された被覆手段で、被覆手段１は、例えば、覆い部材（より具体的には、防水シート又は透水シート）であり、望ましくは、地面を掘り下げた凹所２内に上下およびまたは縦横に配置された直方体形状の本体１０の周囲を全体に亘って覆うようにする。
なお、図１及び図２に示す３は、雨水貯留装置Ｇ内に水を導く導入通路で、４は、雨水貯留装置Ｇ内の水を外へと導く導出通路で、５は、雨水貯留装置Ｇ内の水が一定量に達すると、雨水貯留装置Ｇ内の水を外へと導く溢水通路である。
【００１９】
上述した直方体形状の本体１０は、例えば、斜視図を図３に示すように、内部は水を貯める空間を多く有した骨格状部材で形成されている。
この直方体形状の本体１０は、例えば、プラスチックで成形され、組立前にあっては、図３の直方体形状の本体１０を展開した状態である図４に示すように、内部に開口部１１ａを有する長方形形状の第１の枠部材１１と、この第１の枠部材１１に隣り合うと共に、内部に開口部１２ａを有する長方形形状の第２の枠部材１２と、この第２の枠部材１２に隣り合うと共に、内部に開口部１３ａを有する長方形形状の第３の枠部材１３と、この第３の枠部材１３に隣り合うと共に、内部に開口部１４ａを有する長方形形状の第４の枠部材１４とを有している。
開口部１１ａ、開口部１２ａ、開口部１３ａ、開口部１４ａは、図４において、それぞれ４個設けられているが、その数は、適宜に設定されるもので、直方体形状の本体１０として、少なくとも、１個あれば良い。
【００２０】
また、これら第１の枠部材１１、第２の枠部材１２、第３の枠部材１３及び第４の枠部材１４は、連結手段により連結して直方体形状の本体１０を構成する。
連結手段は、例えば、図４乃至図８に示すように、凹部と、この凹部に係合する凸部とによる。
即ち、図４及び図５に示す１１ｂは、第１の枠部材１１の第１の枠部材１１と第４の枠部材１４との当接面１１Ａに設けられた第１の凹部である。１１ｃは、第１の枠部材１１の第１の枠部材１１と第２の枠部材１２との当接面１１Ｂに設けられた第１の凸部である。
また、１２ｂは、第２の枠部材１２の第１の枠部材１１と第２の枠部材１２との当接面１２Ａに設けられ、第１の凸部１１ｃに係合する第２の凹部１２ｂである。１２ｃは、第２の枠部材１２の第２の枠部材１２と第３の枠部材１３との当接面１２Ｂに設けられた第２の凸部である。
また、１３ｂは、第３の枠部材１３の第２の枠部材１２と第３の枠部材１３との当接面１３Ａに設けられ、第２の凸部１２ｃに係合する第３の凹部である。１３ｃは、第３の枠部材１３の第３の枠部材１３と第４の枠部材１４との当接面１３Ｂに設けられた第３の凸部である。
また、１４ｂは、第４の枠部材１４の第３の枠部材１３と第４の枠部材１４との当接面１４Ａに設けられ、第３の凸部１３ｃに係合する第４の凹部１４ｂである。１４ｃは、第４の枠部材１４の第４の枠部材１４と第１の枠部材１１との当接面１４Ｂに設けら、第１の凹部１１ｂに係合する第４の凸部である。
【００２１】
従って、上述の雨水貯留装置Ｇによれば、直方体形状の本体１０は、第１の枠部材１１、第２の枠部材１２、第３の枠部材１３及び第４の枠部材１４を連結手段により連結して構成されているため、設置前にあっては、図９に示すように、第１の枠部材１１、第２の枠部材１２、第３の枠部材１３、第４の枠部材１４と平面的で嵩張らず、運搬等において場所を取らず、多くの第１の枠部材１１、第２の枠部材１２、第３の枠部材１３、第４の枠部材１４を運搬でき、しかも、設置にあっては、第１の枠部材１１、第２の枠部材１２、第３の枠部材１３及び第４の枠部材１４を連結手段により連結して直方体形状の本体１０を構成し、構造的にも強いと共に、直方体形状の本体１０の内部に雨水を貯留するスペースである内部空間を多くとることができ、地面を掘り下げた凹所２内に直方体形状の本体１０は上下およびまたは縦横に配置されるため、構造的にも安定したものとなる。
【００２２】
なお、連結手段は、上述した図４乃至図８に示すものに限らず、例えば、上述した図４乃至図８において、第１の凹部１１ｂ及び第４の凸部１４ｃを省略し、第４の枠部材１４の当接面１４Ａと第１の枠部材１１の当接面１１Ａとを当接させるだけでも良いし、また、図１０に示すように、第２の枠部材１２と第３の枠部材１３とを第２の接続部１００により折曲自在に接続するようにしても良い。なお、第１の枠部材１１と第２の枠部材１２とを第１の接続部（図示しないが、第２の接続部１００と同様のものである。）により折曲自在に、第３の枠部材１３と第４の枠部材１４とを第３の接続部（図示しないが、第２の接続部１００と同様のものである。）により折曲自在に、それぞれ接続するようにし、第４の枠部材１４と第１の枠部材１１とを当接させるだけでも良いし、また、連結手段は、図１１に示すように、第１の枠部材１１、第２の枠部材１２、第３の枠部材１３、第４の枠部材１４を環状に配列すると共に、それぞれ当接する面（１２Ａと１１Ｂ、１３Ａと１２Ｂ、１４Ａと１３Ｂ、１４Ｂと１１Ａ）に接着剤を塗布して、連結するようにしても良い。
【００２３】
また、直方体形状の本体１０は、上述したものに限らず、例えば、図１２乃至図１４に示すものでも良い。
即ち、１１Mは、第１の枠部材１１に突設するように設けられたV字形状の第１の
突起で、１２Mは、第２の枠部材１２に突設するように設けられたV字形状の第２の突
起と、１３Mは、第３の枠部材１３に突設するように設けられたV字形状の第３の突起
と、１４Mは、第４の枠部材１４に突設するように設けられたV字形状の第４の突起で
、直方体形状の本体１０内に、V字形状の第１の突起１１Mと、V字形状の第２の突起
１２Mと、V字形状の第３の突起１３Mと、V字形状の第４の突起１４Mとが当接して
、X状部材が形成される。より望ましくは、図１４に示すように、V字形状の第１の突起
１１Mの先端と、V字形状の第２の突起１２Mの先端と、前記V字形状の第３の突起１
３Mの先端と、V字形状の第４の突起１４Mの先端とが当接して、X状部材が形成され
るようにする。その結果、直方体形状の本体１０の強度を強くすることができる。
【００２４】
また、直方体形状の本体１０は、上述したものに限らず、例えば、図１５に示すもの
でも良い。
即ち、直方体形状の本体１０を第１のL字状部材L１と第２のL字状部材L２を設置
現場で連結手段により連結して構成する。
第１のL字状部材L１は、内部に開口部（図示しないが、図４で言えば、開口部１１
ａ）を有する長方形形状の第１の枠部材１１に対して直交して接合された「内部に開口部
（図示しないが、図４で言えば、開口部１２ａ）を有する長方形形状の第２の枠部材１２
」とを有するものであり、また、第２のL字状部材L２は、内部に開口部（図示しないが
、図４で言えば、開口部１３ａ）を有する長方形形状の第３の枠部材１３に対して直交し
て接合された「内部に開口部（図示しないが、図４で言えば、開口部１４ａ）を有する長
方形形状の第４の枠部材１４とを有するものである。なお、連結手段は、上述の実施例と
同様のものであり、例えば、凹部１１ｂと凸部１４ｃ、凹部１３ｂと凸部１２ｃである。
【００２５】
また、直方体形状の本体１０を図１６に示すように、同一の直方体形状の本体１０を
上下およびまたは縦横に配置して構成するが、本願発明にあっては、これに限らず、例え
ば、図１７に示すように、異なる直方体形状の本体１０を組み合わせても良い。
【００２６】
また、直方体形状の本体１０は上下およびまたは縦横に配置されて、全体として貯留
部が構成され、この貯留部の周囲は覆い部材（例えば、防水シート又は透水シート）１で
覆われている。図示しないが、覆い部材１が対向する前記貯留部の部位、例えば、直方体
形状の本体１０の開口部１１ａを塞ぐようにすると、地面を掘り下げた凹所２内の、例え
ば、土砂等が覆い部材１を介して貯留部内の、例えば、開口部１１ａに入り込むのを防ぐ
ため、覆い部材１の破損を防止することができる。
【図面の簡単な説明】
【００２７】
【図１】図１は、本発明の一実施例の雨水貯留装置の概略的断面図である。
【図２】図２は、図１の概略的断面図である。
【図３】図３は、図２の雨水貯留装置の一部を構成する直方体形状の本体の概略的斜視図である。
【図４】図４は、図３の直方体形状の本体を展開した状態の概略的平面図である。
【図５】図５は、図４の組み立て状態を示す概略的正面図である。
【図６】図６は、図４の６−６線の概略的断面図である。
【図７】図７は、図６の組み立てた状態の概略的一部断面図である。
【図８】図８は、図５の組み立てた状態の概略的断面図である。
【図９】図９は、図３の直方体形状の本体を展開した状態で搬送する状態を示す概略的図である。
【図１０】図１０（ａ）は、図６と異なる他の実施例の概略的断面図であり、図１０（ｂ）は、図１０（ａ）を組み立てた状態の概略的断面図である。
【図１１】図１１は、図１０と異なる他の実施例の概略的断面図である。
【図１２】図１２は、図６と異なる他の実施例の直方体形状の本体を展開した状態の概略的平面図である。
【図１３】図１３は、図１２の概略的平面図である。
【図１４】図１４は、図１２を組み立てた状態の概略的正面図である。
【図１５】図１５は、図１２の他の実施例の概略的断面図である。
【図１６】図１６は、図１の一部を分解して示す概略的一部分解斜視図である。
【図１７】図１７は、図２の他の実施例の概略的平面図である。
【符号の説明】
【００２８】
Ｇ        雨水貯留装置
１        被覆手段
２        凹所
１０      直方体形状の本体
１１      第１の枠部材
１２      第２の枠部材
１３      第３の枠部材
１４      第４の枠部材
【図１】
0005162320.tif 000002
【図２】
0005162320.tif 000003
【図３】
0005162320.tif 000004
【図４】
0005162320.tif 000005
【図５】
0005162320.tif 000006
【図６】
0005162320.tif 000007
【図７】
0005162320.tif 000008
【図８】
0005162320.tif 000009
【図９】
0005162320.tif 000010
【図１０】
0005162320.tif 000011
【図１１】
0005162320.tif 000012
【図１２】
0005162320.tif 000013
【図１３】
0005162320.tif 000014
【図１４】
0005162320.tif 000015
【図１５】
0005162320.tif 000016
【図１６】
0005162320.tif 000017
【図１７】
0005162320.tif 000018